【事件の表示】
　昭和６３年特許願第３２４２６８号「画像処理装置」拒絶査定に対する審判事件［平成　２年　７月　２日出願公開、特開平　２−１７０６６５］について、次のとおり審決する。
【結　論】
　本件審判の請求は、成り立たない。
【理　由】
１．［手続の経緯・本願発明］
　本願は、昭和６３年１２月２２日の出願であって、その請求項１、２、３に係る発明は、平成７年３月９日付け、及び、平成１２年１０月５日付けの各手続補正書で補正された明細書、並びに、図面の記載からみて、その特許請求の範囲の請求項１、２、３に記載されたとおりのものと認められるところ、その請求項１に記載された発明（以下、「本願発明１」という。）は、次のとおりである。
「書込みクロック信号と読出しクロック信号とを同時に出力するクロック発生回路と、
　順次入力される画像データを１ライン毎に交互に所定量ずつ書き込み、一方が書き込み動作を行うとき他方は書き込んだ画像データの読み出し動作を行う第１及び第２の画像メモリと、
　書込みクロック信号に従って第１及び第２の画像メモリの書き込み時のアドレスを指定する書込みアドレス発生手段と、
　読出しクロック信号に従って第１及び第２の画像メモリの読み出し時のアドレスを指定する読出しアドレス発生手段とを備え、
　書込みアドレス発生手段と読出しアドレス発生手段の少なくとも一方のアドレス初期値を任意に設定できるように構成するとともに、前記クロック発生回路は書込みクロック信号と読出しクロック信号の少なくとも一方を変倍率に応じて変更するように構成したことを特徴とする画像処理装置。」
　
２．［引用刊行物］
　これに対し、当審における平成１２年７月３１日付け拒絶理由通知書の拒絶の理由で、刊行物１として引用された特開昭６３−５４８６４号公報（以下、「引用例１」という。）には、図面とともに次の各記載がある。
「この発明は、簡易形の電子写真式カラー複写機などに適用して好適な記録位置指定可能な画像記録装置に関する。」
（公報第１頁下右欄第１５行〜第１７行）
「（１）光導電性感光体表層を有する像形成体上に画像に対応した静電像を形成し、これを現像することにより上記画像を記録紙上に記録するようにした画像処理装置において、
　処理領域指定手段と、
　処理領域指定に応じて画像読み取り手段及び出力装置の画像読み取りタイミング及び出力タイミングを制御するタイミング制御手段とを有し、
　上記領域指定手段により指定された記録指定位置に応じて、画像読み取りタイミングと出力タイミングとの関係が適宜選定されてなることを特徴とする記録位置指定可能な画像処理装置。」
（公報第１頁下左欄第５行〜第１６行）
「そこで、この発明では、このように記録位置が指定できるように構成された画像記録装置であって、しかもリアルタイムで画像を記録することができるようになされたこの種画像記録装置にあって、構成簡単に、指定した画像領域を指定した位置に正しく記録することができるようにした画像処理装置を提案するものである。」
（公報第３頁上右欄第１８行〜下左欄第４行）
「第１図はこの発明に係る画像処理装置の概略構成を示す。
　（中　略）
　各画像データは画像処理回路２において、拡大・縮小などの画像処理がなされたのち出力バッファ回路９０で、後述するような中央基準による画像記録処理や記録指定に基づく処理が実行される。」
（公報第３頁下右欄第１５行〜第４頁上左欄第５行）
「画像処理回路２に対しては、操作・表示部７５で指定された倍率指定のための倍率データや、画像データを２値化するための閾値を選択する閾値選択データ、さらには記録位置が指定されたときの記録位置指定データなどが、コントロール回路８０に取り込まれてからシステムバス８１を介して供給されるものである。
　出力バッファ回路９０には、これに設けられたラインメモリに対する書込みあるいは読み出し開始アドレスが供給される。ラインメモリにセッテングされる書込みあるいは読み出し開始アドレスデータは指定倍率や記録位置指定データなどによって異なったものとなる。」
（公報第４頁下左欄第４行〜第１６行）
「第７図は画像処理回路２の一例を示すブロック図である。
　この例では、０．５倍から２．０倍までの間を１．５％（１／６４の近似として）きざみで拡大・縮小することができるようにした場合である。
　ここで、この発明でも原理的には、拡大処理は画像データを増加し、縮小処理は画像データを間引くような補間処理である。」
（公報第８頁下右欄第８行〜第１５行）
「さて、拡大・縮小処理が施され、かつ２値化処理された画像データは出力バッファ回路９０に供給されるが、この出力バッファ回路９０では、拡大・縮小倍率などの外部指定データに基づいて、
出力バッファ回路９０に設けられたラインメモリに対するデータの書込みあるいは読み出し開始アドレスが制御される。」
（公報第１２頁下右欄第１２行〜第１８行）
「第３７図は出力バッファ回路９０の一例を示す。
　出力バッファ回路９０には一対のラインメモリ１００，１０１が設けられ、夫々には１ライン分の画像データが供給される。一対のラインメモリ１００，１０１を設けたのは１ライン分の画像データを交互に供給して、画像データの書込み及び読み出しをリアルタイムで処理できるようにするためである。」
（公報第１６頁上左欄第８行〜第１５行）
「まず、ラインメモリへのデータ書込み時には、画像処理回路２において生成された書込みクロックが使用され、読み出し時には出力装置６５用の読み出しクロックが使用されるので、これらクロックはクロック選択用の第１及び第２のスイッチ１０２，１０３を介して夫々のアドレスカウンタ１０４，１０５に供給される。」
（公報第１６頁上右欄第１行〜第７行）
「夫々のアドレスカウンタ１０４，１０５にはさらにラインメモリ１００，１０１に対する書込み開始アドレス及び読み出しアドレスを決定するための各アドレスデータが第３及び第４のスイッチ１０８，１０９を介して供給される。」
（公報第１６頁上右欄第１５行〜第１９行）
「以上説明したように、この発明では、所定の画像領域のみを所定の位置に移動させて記録する、トリミング記録であっても、画像読み取り開始タイミングと、出力装置６５の記録開始タイミングとを所定の関係に選定することによって、リアルタイム処理を実現することができる。
（中　略）
　また、指定倍率や記録指定領域などの設定に応じても出力バッファ回路９０などを制御するようにしたので、指定された任意の位置に拡大・縮小された画像を記録することができる。従って、オペレータの希望する領域の画像を記録紙上の希望する位置に、希望する大きさ及び色の画像を記録できる特徴を有する。」
（公報第１８頁上左欄第１７行〜上右欄第１８行）
　
３．［対比］
　そこで、本願発明１（前者）と引用例１に記載されたもの（後者）とを対比すると、
　後者の「１ライン分の画像データを交互に供給して、画像データの書込み及び読み出しをリアルタイムで処理できるようにした一対のラインメモリ１００，１０１」が、
　前者の「順次入力される画像データを１ライン毎に交互に所定量ずつ書き込み、一方が書き込み動作を行うとき他方は書き込んだ画像データの読み出し動作を行う第１及び第２の画像メモリ」に、
　また、後者の「書込みクロック、及び、読み出しクロックが、クロック選択用の第１及び第２のスイッチ１０２，１０３を介して夫々供給されるアドレスカウンタ１０４，１０５」が、
　前者の「書込みクロック信号に従って第１及び第２の画像メモリの書き込み時のアドレスを指定する書込みアドレス発生手段、並びに、読出しクロック信号に従って第１及び第２の画像メモリの読み出し時のアドレスを指定する読出しアドレス発生手段」に、
それぞれ対応しているものと認められる。
　そして、後者における、「ラインメモリ１００，１０１に対する書込み開始アドレス及び読み出しアドレスを決定するための各アドレスデータを、第３及び第４のスイッチ１０８，１０９を介してアドレスカウンタ１０４，１０５に供給すること」が、
　前者の「書込みアドレス発生手段と読出しアドレス発生手段の少なくとも一方のアドレス初期値を任意に設定できるように構成すること」に、
それぞれ相当しているものと認められる。
　さらに、後者の「各画像データは画像処理回路２において、拡大・縮小などの画像処理がなされたのち出力バッファ回路９０で、後述するような中央基準による画像記録処理や記録指定に基づく処理が実行される」は、
以下の相違点は別として、画像の移動処理の他に画像の拡大・縮小処理も行うものである点で、
　後者の「とともに、前記クロック発生回路は書込みクロック信号と読出しクロック信号の少なくとも一方を変倍率に応じて変更する」ことと差異がない。
　してみると、両者（前者と後者）は、
「書込みクロック信号と読出しクロック信号と、
　順次入力される画像データを１ライン毎に交互に所定量ずつ書き込み、一方が書き込み動作を行うとき他方は書き込んだ画像データの読み出し動作を行う第１及び第２の画像メモリと、
　書込みクロック信号に従って第１及び第２の画像メモリの書き込み時のアドレスを指定する書込みアドレス発生手段と、
　読出しクロック信号に従って第１及び第２の画像メモリの読み出し時のアドレスを指定する読出しアドレス発生手段とを備え、
　書込みアドレス発生手段と読出しアドレス発生手段の少なくとも一方のアドレス初期値を任意に設定できるように構成する
とともに、画像の拡大・縮小処理を行う画像処理装置。」
である点で、一致しており、
　次の２点で、相違しているものと認められる。
　相違点１：クロック信号が、
　前者では、「書込みクロック信号と読出しクロック信号とを同時に出力するクロック発生回路」により生成されるのに対して、
　後者では、「クロック発生回路」は明記されていなく、「データ書込み時には、画像処理回路２において生成された書込みクロックが使用され、読み出し時には、出力装置６５用の読み出しクロックが使用されている」点。
　相違点２：画像の拡大・縮小に関して、
　前者では、「書込みアドレス発生手段と読出しアドレス発生手段の少なくとも一方のアドレス初期値を任意に設定できるように構成するとともに、書込みクロック信号と読出しクロック信号とを同時に出力するクロック発生回路の書込みクロック信号と読出しクロック信号の少なくとも一方を変倍率に応じて変更するように構成して、拡大・縮小を行っている」のに対して、
　後者では、「書込みアドレス発生手段と読出しアドレス発生手段の少なくとも一方のアドレス初期値を任意に設定できるように構成している出力バッファ回路９０よりも前段の回路である、画像処理回路２において、拡大・縮小を行っている」点。
　
４．［当審の判断］
　そこで、これらの相違点について検討すると、
　相違点１については、
　後者においても、特に明記はされていないが、クロック信号が存在する以上、クロック信号を生成するためにクロック発生回路が存在するものと認められ、画像メモリへ書き込むクロック信号と、該画像メモリから読み出すクロック信号とを、同時に出力するかあるいは別々に出力するかは、当業者が設計上適宜選択し得ることであり、当該構成の差異による作用の相違も当業者が容易に予測し得る範囲内のことに過ぎない。したがって、前者のようなクロック発生回路を備えることは、格別のこととは認められない。
　相違点２については、
　相違点２に係る構成は、当審における拒絶理由に対応して、上記平成１２年１０月５日付けの手続補正書による補正によって新たに追加された構成であるが、書込みクロック信号と読出しクロック信号の一方、又は、双方を、変倍率に応じて変更するように構成して、画像の拡大・縮小を行うようにすることは、デジタル画像の拡大・縮小処理における常套手段である。
　そして、上記変倍率に応じた変更も、アドレス初期値の任意の設定も、共に画像メモリに対する書き込み・読み出し動作に関することであり、画像メモリに対する書き込み・読み出しの態様によって画像の拡大・縮小及び移動がなされることは当業者にとってよく知られたことであるから、画像の拡大・縮小処理と移動処理とを後者のように別々に行うことに代え、前者のように、書込みアドレス発生手段と読出しアドレス発生手段の少なくとも一方のアドレス初期値を任意に設定できるように構成するとともに、前記クロック発生回路は書込みクロック信号と読出しクロック信号の少なくとも一方を変倍率に応じて変更するように構成するようにすることは、当業者が必要に応じて容易になし得ることである。
（なお、一般的な技術水準を示す文献として、例えば特開昭６１−２３９７７４号公報、特開昭６１−６３１５７号公報にも、「書込みアドレス発生手段と読出しアドレス発生手段の少なくとも一方のアドレス初期値を任意に設定できるように構成するとともに、前記クロック発生回路は書込みクロック信号と読出しクロック信号の少なくとも一方を変倍率に応じて変更するように構成」したものが記載されている。）
　
５．［むすび］
　以上のとおりであるので、本願請求項１に係る発明は、引用例１に記載された発明に基いて、当業者が容易に発明をすることができたものと認められ、特許法第２９条第２項の規定により特許を受けることができない。
　よって、結論のとおり審決する。